(57)【要約】【課題】キャビネットの撓みを無くし、スイッチ等の誤動作を防止することが可能な成形ボタン構造を提供することを目的とする。【解決手段】キャビネット１に成形ボタン３，４を取付ける取付け用ボス７，８に，電気回路基板６に向かって延長された延長成形部９，１０を含み、延長成形部９，１０の少なくとも一部が電気回路基板６に接触し延長成形部９，１０の長手方向に働く力を電気回路基板６が支える構成を有する。この構造により、キャビネット１に表面側から力が加わった場合の力を電気回路基板６が支えて、キャビネット１の撓みをなくすことが可能となるとともに、キャビネット１に取付けられた成形ボタン３，４が変形してスイッチ等の誤動作を防止することが可能となる。【選択図】図１
2009140813.tif 000002
【特許請求の範囲】
【請求項１】
キャビネットと、
前記キャビネットに内蔵された電気回路基板と、
前記キャビネットに、取付け用ボスを介して取付けられた成形ボタンと、
前記取付け用ボスに連続して、前記電気回路基板に向かって延長された延長成形部と
を備え、
前記延長成形部の少なくとも一部が、前記電気回路基板に接触し、前記延長成形部の長手方向に働く力を前記電気回路基板が支える、成形ボタン構造。
【請求項２】
前記延長成形部が円筒形状である、請求項１に記載の成形ボタン構造。
【請求項３】
前記延長成形部の先端に突起状部分が設けられ、前記突起状部分が前記電気回路基板に挿入されている、請求項１または２に記載の成形ボタン構造。
【請求項４】
前記延長成形部の先端に切欠き部が形成され、前記電気回路基板上の回路部品との接触回避を可能とした、請求項１から３のいずれかに記載の成形ボタン構造。
【請求項５】
前記取付け用ボスの前記キャビネットに対向する面に凹形状部が設けられ、前記凹形状部は前記キャビネットの前記取付け用ボスに対向する面に設けられたリブ状成形部と係合する、成形ボタンの位置決め手段を含む、請求項１から４のいずれかに記載の成形ボタン構造。
【請求項６】
前記凹形状部の先端部が面取りされている、請求項５に記載の成形ボタン構造。
【請求項７】
前記キャビネットの前記取付け用ボスに対向する面に位置決め突起が設けられ、前記取付け用ボスの前記キャビネットに対向する面に設けた挿入穴に前記位置決め突起が挿入された構成をさらに有する、請求項１から６のいずれかに記載の成形ボタン構造。
【請求項８】
前記位置決め突起が前記取付け用ボスの前記挿入穴に挿入された状態で、前記突起と前記取付け用ボスとが溶着されて固定されている、請求項７に記載の成形ボタン構造。
【請求項９】
前記取付け用ボスに設けられたビス締付け穴と、前記キャビネットに設けられた成形ボタン固定用ボスとを、ビスにより締付け固定して、前記キャビネットに前記成形ボタンが取付けられた、請求項１から８のいずれかに記載の成形ボタン構造。
【発明の詳細な説明】
【技術分野】
【０００１】
本発明は、スイッチ等のボタン操作部を備えた電子機器に使用される、樹脂製のキャビネットを備えた、成形ボタン構造に関するものである。
【背景技術】
【０００２】
従来のスイッチ等のボタン操作部を備えた電子機器において使用される樹脂製のキャビネットを備えた成形ボタン構造は、図６〜８に示すような構造を有していた。図６において（ａ）は従来の成形ボタン構造の斜視図であり、（ｂ）は図（ａ）におけるＶＩｂ−ＶＩｂ線の断面図である。図７は従来の成形ボタン構造における上キャビネットの底面図、図８は同上キャビネットの断面図である。
【０００３】
電気回路基板１０１を内蔵し、上キャビネット１０２には電子機器等の操作用の成形ボタン１０３が設けられた製品１０４において、成形ボタン１０３は成形ボタン固定用ボス１０５と成形ボタン取付け用ボス１０６を取付けて、ビス１０７により両者を締付けて行なわれていた。このような構造においては、成形ボタン１０３の取付け用ボス１０６と電気回路基板１０１の間に隙間Ｒが発生していた。
【０００４】
公知技術としての特許文献１および特許文献２は、基本的に上記構成を開示するものであり、さらなる改良として、ボタン本体自身にバネ構造を設けることによりボタン復帰を可能とした発明、さらにはボタンを復帰させる為に ボタン本体とスイッチの間に導電性金属板を設けた発明に関するものであるが、ボタンが組み込まれるキャビネット本体において、成形ボタン１０３の取付け用ボスと電気回路基板の間に隙間がある構造となっている。
【特許文献１】特開平４−１４７１２公報
【特許文献２】特開２００１−１８４９７８公報
【発明の開示】
【発明が解決しようとする課題】
【０００５】
従来の成形ボタン構造においては、隙間Ｒがあるため、上キャビネット１０２に対して応力が加えられると、上キャビネット１０２の働く力を支えるものが無く、上キャビネット１０２に撓みが生じ、操作の意図なくして電気回路基板１０１に組み込まれているスイッチ等（図示せず）が上キャビネット１０２の撓みに起因して誤動作してしまうという課題があった。
【０００６】
本発明は上記課題を鑑みなされたものであり、上キャビネットに応力が加わっても上キャビネットの力を支えることが可能で、上キャビネットの撓みを無くし、スイッチ等の誤動作を防止することが可能な成形ボタン構造を提供することを目的とする。
【課題を解決するための手段】
【０００７】
上記課題を解決するため、本発明の成形ボタン構造は、キャビネットと、このキャビネットに内蔵された電気回路基板と、キャビネットに、取付け用ボスを介して取付けられた成形ボタンと、取付け用ボスに連続して、電気回路基板に向かって延長された延長成形部とを備える。この発明の特徴は、延長成形部の少なくとも一部が、電気回路基板に接触し、延長成形部の長手方向に働く力を前記電気回路基板が支える点にある。
【０００８】
また、延長成形部が円筒形状となっている構造、延長成形部の先端に突起状部分が設けられ、この突起状部分が電気回路基板に挿入された構造、あるいは、延長成形部の先端に切欠き部が形成され、電気回路基板上の回路部品との接触回避を可能とした構造とすることができる。
【０００９】
また、取付け用ボスのキャビネットに対向する面に凹形状部が設けられ、凹形状部はキャビネットの取付け用ボスに対向する面に設けられたリブ状成形部と係合する成形ボタンの位置決め手段を含む構造や、凹形状部の先端部が面取りされている構造、また、キャビネットの取付け用ボスに対向する面に位置決め突起が設けられ、取付け用ボスのキャビネットに対向する面に設けた挿入穴に位置決め突起が挿入された構造とすることも可能である。さらには、位置決め突起が取付け用ボスの挿入穴に挿入された状態で突起と取付け用ボスが溶着され固定された構成、さらには、取付け用ボスに設けられたビス締付け穴と、キャビネットに設けられた成形ボタン固定用ボスとを、ビスにより締付け固定して、キャビネットに成形ボタンが取付けられた構造とすることも可能である。
【発明の効果】
【００１０】
本発明によれば、成形ボタンの取付け用ボスに電気回路基板に向かって延長された延長成形部を含み、延長成形部の少なくとも一部が電気回路基板に接触し延長成形部の長手方向に働く力を電気回路基板が支える構成を有するので、キャビネットに表面側から力が加わった場合の応力を電気回路基板が支えて、キャビネットの撓みをなくすことが可能となる。また、キャビネットに取付けられた成形ボタンなどが変形してスイッチ等の誤動作を防止することができるため、成形ボタン構造の信頼性の向上が図られる。
【発明を実施するための最良の形態】
【００１１】
以下、本発明の実施の形態を、図１〜図５により説明する。図１（ａ）は本発明の実施の形態の成形ボタン構造の斜視図であり、（ｂ）は同成形ボタン構造の（ａ）におけるＩｂ−Ｉｂ線における断面図である。本発明の実施の形態における成形ボタン構造においては、上側のキャビネット１および下側のキャビネット２が、樹脂成形により形成されている。キャビネット１には、１キー用成形ボタン３と、２キー用成形ボタン４（以下まとめて「成形ボタン」と記す）が取付けられ、製品５が構成されている。そして、キャビネット１内には、電気回路基板６が保持されている。成形ボタン３，４をキャビネット１に取付けるための取付け用ボス７，８には、電気回路基板６に向かって延長された円筒形状の延長成形部９，１０が設けられている。
【００１２】
延長成形部９，１０の先端９ａ，１０ａは、電気回路基板６に接触し延長成形部９，１０の長手方向に働く力を電気回路基板６が支える構成となっている。このような構造においては、キャビネット１に表面（図１の上方）側から力が加わった場合も、この力を電気回路基板６が延長成形部９、１０の先端９ａ，１０ａを介して支え、キャビネット１の撓みをなくすことが可能となる。また、キャビネット１に取付けられた成形ボタン等（図示せず）によりスイッチ等の誤動作を防止することが可能となる。また、延長成形部９、１０の先端９ａ，１０ａには突起状部分１１，１２が設けられ、突起状部分１１，１２が電気回路基板６の穴１３に挿入されている。このような構成により電気回路基板６は所定の位置に保持位置決めされる構造となっている。さらに、延長成形部９，１０の先端９ａ，１０ａには、切欠き部１４，１５が形成され、延長成形部９，１０が電気回路基板６上の回路部品１６と接触することを回避可能としている。
【００１３】
次に、キャビネット１と成形ボタン３，４との取付け関係について説明する。成形ボタン３，４のキャビネット１から露出する部分である成形ボタン本体１７，１８は、キャビネット１に設けられている成形ボタン挿入穴１ａ、１ｂに挿入され、同じくキャビネット１に設けられた成形ボタン固定用ボス１９，２０に取付け用ボス７，８が挿入され、成形ボタン３，４の取付け用ボス７，８のビス穴２１，２２をとおしてビス２３，２４により締付けて固定し、キャビネット１に成形ボタン３，４が取付けられる。
【００１４】
次に、キャビネット１と成形ボタン３，４との位置決め関係について、図２および図３により説明する。図２の（ａ）は実施の形態の成形ボタン構造の拡大部分断面図、（ｂ）は実施の形態の成形ボタン構造の変形例を示す拡大部分断面図である。図３はキャビネット１を上下に反転させた状態での断面図および拡大部分断面図である。キャビネット１と成形ボタン３，４との正確な位置決めを行なうために、取付け用ボス７，８のキャビネット１に対向する面には凹形状部２５、２６が設けられている。これらの凹形状部２５，２６は、キャビネット１の取付け用ボス７，８に対向する面に設けられたリブ状成形部２７，２８と係合する構成となっており、キャビネット１と成形ボタン３，４との位置決めが正確に行える構造となっている。さらに、凹形状部２５，２６の先端部は面取り２９されており、これにより、凹形状部２５，２６へのリブ状成形部２７，２８の挿入作業をスムーズに行なうことができる。
【００１５】
また、キャビネット１の取付け用ボス７，８に対向する面に位置決め突起３２が設けられ、取付け用ボス７，８のキャビネット１に対向する面に設けた挿入穴３３に位置決め突起３２が挿入され、成形ボタン３，４の位置決めがなされる。
【００１６】
図２（ｂ）に示すように、位置決め突起３２が取付け用ボス７の挿入穴３３に挿入された状態で、さらに突起３２の挿入穴３３から飛び出した部分と取付け用ボス７が溶着され（溶着部分３，４）固定されている。このように構成することにより、ビス２３を必要とすることなく、キャビネット１に成形ボタン３，４を取付けることが可能となる。
【００１７】
なお、１キー用成形ボタン３の詳細を図４の（ａ）〜（ｅ）に、２キー用成形ボタン４の詳細を図５の（ａ）〜（ｅ）にそれぞれ示している。これらの図において付した参照番号はいずれも、図１〜図３において同一の参照番号を付して説明した各要素と同一のものであるため、その詳細の説明は省略する。
【００１８】
今回開示された実施の形態はすべて例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００１９】
本発明は、本発明はスイッチ等のボタン操作部を備えた電子機器において広く利用可能である。
【図面の簡単な説明】
【００２０】
【図１】（ａ）本発明の実施の形態の成形ボタン構造の斜視図、（ｂ）同成形ボタン構造の図（ａ）のＩｂ−Ｉｂ線における断面図である。
【図２】（ａ）実施の形態の成形ボタン構造の拡大部分断面図、（ｂ）同実施の形態の成形ボタン構造の変形例を示す拡大部分断面図である。
【図３】実施の形態のキャビネットの上部分を上下に反転させた状態での断面および拡大部分断面を示す図である。
【図４】（ａ）は本発明の実施の形態の１キー用成形ボタンの上面図、（ｂ）は同成形ボタンの（ａ）のＩＶｂ―ＩＶｂ線における断面図、（ｃ）は同成形ボタンの背面図、（ｄ）は同成形ボタンの左側面図、（ｅ）は同成形ボタンの右側面図である。
【図５】（ａ）は本発明の実施の形態の２キー用成形ボタンの上面図、（ｂ）は同成形ボタンの（ａ）のＶｂ―Ｖｂ線における断面図、（ｃ）は同成形ボタンの背面図、（ｄ）は同成形ボタンの左側面図、（ｅ）は同成形ボタンの右側面図である。
【図６】（ａ）は従来の成形ボタン構造の斜視図、（ｂ）は（ａ）におけるＶＩｂ−ＶＩｂ線の斜断面図である。
【図７】従来の成形ボタン構造におけるキャビネットの底面図である。
【図８】同キャビネットの上部分の断面図である。
【符号の説明】
【００２１】
１  キャビネット、３，４  成形ボタン、６  電気回路基板、７，８  取付け用ボス、９，１０  延長成形部、９ａ，１０ａ  延長成形部の先端、１１，１２  突起状部分、１３  穴、１４，１５  切欠き部、２３，２４  ビス、２５，２６  凹形状部、２７，２８  リブ状成形部、２９  面取り、３２  位置決め突起、３３  挿入穴。
【図１】
2009140813.tif 000003
【図２】
2009140813.tif 000004
【図３】
2009140813.tif 000005
【図４】
2009140813.tif 000006
【図５】
2009140813.tif 000007
【図６】
2009140813.tif 000008
【図７】
2009140813.tif 000009
【図８】
2009140813.tif 000010